(57)【特許請求の範囲】
【請求項１】
一面が開口した直方体状に形成された本体部と；
前記開口の一辺に回動可能に連接され、前記開口を塞ぐ蓋部とを備え；
前記本体部は、前記蓋部が連接する後板と、前記後板に対向する前板と、前記前板の前記開口に接する前板頂辺から前記本体部の内部に延びるフラップとを含んで構成され；
前記前板に、前記本体部の内側に押し込まれることにより前記前板と連接しつつ前記フラップと噛み合う押片の輪郭の一部となる押片用切り込みが形成された；
巻回体収容箱。
【請求項２】
前記本体部が、前記前板頂辺で前記前板と連続する副板であって、前記前板に対して前記本体部の内側で前記前板に接して設けられた副板を含んで構成され；
前記フラップが、前記副板が切り込まれることにより形成され；
前記副板に、前記フラップとの境界から前記前板頂辺と反対側に延びる副板開襟切り込みが形成された；
請求項１に記載の巻回体収容箱。
【請求項３】
薄膜状の長尺物が巻かれた巻回体と；
請求項１又は請求項２に記載の巻回体収容箱とを備える；
巻回体入り収容箱。
【発明の詳細な説明】
【技術分野】
【０００１】
本発明は巻回体収容箱及び巻回体入り収容箱に関し、特に巻回体の飛び出しを抑制した巻回体収容箱及び巻回体入り収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、長い直方体の容器（収容箱）に収容されており、使用する際には、先端のフィルムをロールから必要量引き出し、容器の蓋に取り付けられている切断刃で切断する。食品用ラップフィルムでは、フィルムをロールから引き出す際、ロール自体が容器から飛び出してしまうという不都合があった。このような不都合を解消する技術として、容器本体の前面壁の頂縁部から容器本体の内部に延びる押え板（フラップ）を設けたものがある（例えば、特許文献１参照。）。
【先行技術文献】
【特許文献】
【０００３】
【特許文献１】特開２００３−３４１６６６号公報（図６等）
【発明の概要】
【発明が解決しようとする課題】
【０００４】
巻回体と収容箱とは、それぞれ異なる場所で製造された後、最終製造工場に集められて収容箱に巻回体が収容される場合がある。この場合、運搬効率の観点から、収容箱は折り畳まれた状態で最終製造工場に搬入されることが多い。収容箱は、最終製造工場での組み立ての用に供される前に長期にわたって折り畳まれた状態で保管されていると、折り癖がついてしまい、製品となって使用する際に、フラップが適切に起き上がらず（前面壁から離れず）、フラップがその機能を十分に発揮することができないことがあった。
【０００５】
本発明は上述の課題に鑑み、フラップの機能を確実に発揮させることができる巻回体収容箱及び巻回体入り収容箱を提供することを目的とする。
【課題を解決するための手段】
【０００６】
上記目的を達成するために、本発明の第１の態様に係る巻回体収容箱は、例えば図１に示すように、一面１１ｈが開口した直方体状に形成された本体部１１と；開口１１ｈの一辺１０ｊに回動可能に連接され、開口１１ｈを塞ぐ蓋部１６とを備え；本体部１１は、蓋部１６が連接する後板１４と、後板１４に対向する前板１２と、前板１２の開口１１ｈに接する前板頂辺１２ｔから本体部１１の内部に延びるフラップ２１とを含んで構成され；前板１２に、本体部１１の内側に押し込まれることにより前板１２と連接しつつフラップ２１と噛み合う押片１２ｐ（例えば図２（ａ）参照）の輪郭の一部となる押片用切り込み１２ｃ（例えば図２（ａ）参照）が形成されている。
【０００７】
このように構成すると、フラップを、前板に対して適切な角度で開くことができると共に、適切な角度で開いた状態を維持することができる。
【０００８】
また、本発明の第２の態様に係る巻回体収容箱は、例えば図１及び図２に示すように、上記本発明の第１の態様に係る巻回体収容箱１０において、本体部１１が、前板頂辺１２ｔで前板１２と連続する副板２０であって、前板１２に対して本体部１１の内側で前板１２に接して設けられた副板２０を含んで構成され；フラップ２１が、副板２０が切り込まれることにより形成され；副板２０に、フラップ２１との境界から前板頂辺１２ｔと反対側に延びる副板開襟切り込み２２ｃが形成されている。
【０００９】
このように構成すると、押片が本体部の内側に押し込まれたときに副板開襟切り込みの両側の副板が開き、押片とフラップとが噛み合ったときに、副板開襟切り込みの両側の副板が押片をフラップに押し付ける方向に作用することとなり、フラップを適切な角度に適切な強度で維持できると共に、前板の強度を向上させることができる。さらに、収容された巻回体が引き出されるときに、副板開襟切り込みで開いた副板が巻回体に線で接することとなって、引き出しを安定させつつ巻回体の飛び出し防止に寄与することとなる。
【００１０】
また、本発明の第３の態様に係る巻回体入り収容箱は、例えば図２（ｂ）に示すように、薄膜状の長尺物３１ｆが巻かれた巻回体３１ｒと；上記本発明の第１の態様又は第２の態様に係る巻回体収容箱１０とを備える。
【００１１】
このように構成すると、フラップの機能を確実に発揮させることができる巻回体入り収容箱となる。
【発明の効果】
【００１２】
本発明によれば、フラップを、前板に対して適切な角度で開くことができると共に、適切な角度で開いた状態を維持することができ、フラップの機能を確実に発揮させることができる。
【図面の簡単な説明】
【００１３】
【図１】本発明の実施の形態に係るラップカートンの背面斜視図である。
【図２】本発明の実施の形態に係るラップカートン及びラップ入りカートンを説明する図である。（ａ）は開蓋したラップカートンの正面図、（ｂ）はラップ入りカートンの側面断面図、（ｃ）はラップカートン内側の開襟部まわりの部分立面図である。
【図３】押片の変形例を示す図である。（ａ）は第１の変形例、（ｂ）は第２の変形例、（ｃ）は第３の変形例を示す図である。
【発明を実施するための形態】
【００１４】
以下、図面を参照して本発明の実施の形態について説明する。なお、各図において互いに同一又は相当する部材には同一あるいは類似の符号を付し、重複した説明は省略する。
【００１５】
まず図１及び図２を参照して、本発明の実施の形態に係る、巻回体収容箱としてのラップカートン１０、及びラップカートン１０に巻回体としてのラップロール３１ｒが収容された巻回体入り収容箱としてのラップ入りカートン１を説明する。図１は、ラップカートン１０の背面斜視図である。図２は、ラップカートン１０及びラップ入りカートン１を説明する図であり、（ａ）は開蓋したラップカートン１０の正面図、（ｂ）はラップ入りカートン１の側面断面図、（ｃ）はラップカートン１０内側の開襟部２２まわりの部分立面図である。ラップロール３１ｒは、薄膜状の長尺物としてのラップフィルム３１ｆがロール状に巻かれたものである。ラップフィルム３１ｆは、本実施の形態では、厚さが５〜２０μｍのポリ塩化ビニリデンが用いられている。ラップカートン１０は、ラップロール３１ｒを収容する本体部１１と、本体部１１に連接された蓋部１６とを備えている。
【００１６】
本体部１１は、未使用のラップロール３１ｒを収容できる大きさの直方体に対して、細長い面の１つが開口１１ｈとなっている箱である。本体部１１の大きさは、収容した未使用のラップロール３１ｒを軸回りに回転させるのを妨げない隙間が形成される一方で、できるだけ小さく形成されている。本体部１１は、開口１１ｈと協働して直方体の側面を構成する前板１２、底板１３、後板１４と、直方体の端面を構成する２つの脇板１５とを有している。底板１３は、開口１１ｈに対向しており、前板１２及び後板１４は、開口１１ｈ及び底板１３に直交している。また、本体部１１は、開口１１ｈを形成する前板１２の一辺である前板頂辺１２ｔで前板１２と連続する副板２０を有している。副板２０は、前板１２と略同じ大きさで、前板１２よりも本体部１１の内側に設けられている。
【００１７】
蓋部１６は、本体部１１の開口１１ｈを塞ぐ部材であり、蓋板１７と、掩蓋片１８と、側蓋片１９とを有している。蓋板１７は、開口１１ｈの面と略同じ大きさの矩形平板状部材であり、蓋板１７を開口１１ｈに合わせることで本体部１１を閉塞した直方体とすることができるようになっている。蓋板１７が開口１１ｈの面と略同じ大きさとは、蓋板１７が、掩蓋片１８の厚さ及び側蓋片１９の厚さの分大きい場合を含むことを意味している。蓋板１７は、長手方向の一辺が、本体部１１の開口１１ｈを形成する一辺であり、かつ、後板１４の一辺である蝶番辺１０ｊで連接している。換言すれば、本体部１１と蓋板１７とは、蝶番辺１０ｊを介して連接している。蓋板１７は、蝶番辺１０ｊを回転軸線として、本体部１１に対して回動することができるように構成されている。蓋板１７は、蝶番辺１０ｊに対向する折曲辺１７ｆが前板１２に接する位置と、平面で見て後板１４よりも外側となる位置との間を移動することができるようになっている。
【００１８】
掩蓋片１８は、折曲辺１７ｆを介して蓋板１７と直交するように、本体部１１側に延びて設けられている。掩蓋片１８は、長手方向両端の幅（長方形の前板１２の短辺方向の長さ）が、前板１２の短辺方向の長さの約１／２で、長手方向中央部の幅が、前板１２の短辺方向の長さの約３／４となっており、折曲辺１７ｆに対向する先端辺１８ｐがＶ字状に形成されている。掩蓋片１８の先端辺１８ｐには、ラップフィルム３１ｆを切断するための切断刃１８ｃが取り付けられている。側蓋片１９は、蓋板１７及び掩蓋片１８の両端に合計２つ設けられており、蓋板１７及び掩蓋片１８の双方に直交して取り付けられている。側蓋片１９は、長辺が蓋板１７の短辺と同じ長さで、短辺が掩蓋片１８の端部と略同じ長さの長方形に形成されている。このように構成された蓋部１６は、開口１１ｈを閉じたときに、本体部１１の開口１１ｈに覆い被さるようになっている。
【００１９】
本体部１１及び蓋部１６は、本実施の形態では、約０．４５〜０．７ｍｍ厚のコートボール紙が加工されて形成されている。本実施の形態では、説明の便宜上、本体部１１と蓋部１６とを機能の観点から区別しているが、本体部１１及び蓋部１６は、１枚の原紙を切り出して組み立てられて一体に形成されている。本体部１１及び蓋部１６の表面は、消費者の購買意欲を惹起するようなデザインが印刷されたうえで、全体に表面処理（例えば紫外線硬化型ニスの塗布等）が施されている。
【００２０】
前板１２の外表面には、ラップフィルム３１ｆを保持する保持部が形成される（不図示）。ラップフィルム保持部の形成方法としては、粘着剤層を設ける方法や、平滑層を設ける方法、さらにはラップフィルム３１ｆ自体の自己密着性を利用する、自己密着層を設ける方法等がある。
【００２１】
概ね上述のように構成されたラップカートン１０は、副板２０が切り込まれてフラップ２１が形成されている。フラップ２１は、ラップフィルム３１ｆをラップロール３１ｒから引き出す際にラップロール３１ｒが本体部１１から飛び出ることを抑制すると共に、使用分のラップフィルム３１ｆが切断された後ラップフィルム保持部に保持されず、前板頂辺１２ｔ付近のラップフィルム３１ｆの先端が巻き戻ってラップロール３１ｒに付着してしまうことを抑制するために形成された部分である。フラップ２１は、前板頂辺１２ｔから副板２０側に所定の長さの奥行き２１ｄで、前板頂辺１２ｔが延びる方向の長さが幅２１ｗにわたって副板２０に切り込みが入れられることによって形成されている。フラップ２１は、前板頂辺１２ｔで前板１２と一体に接続されており、前板頂辺１２ｔを軸線として前板１２に対して接近及び離間するように軸線まわりに動くことができる構成となっている。
【００２２】
フラップ２１の奥行き２１ｄは、典型的には、ラップカートン１０に収容された未使用のラップロール３１ｒにフラップ２１が干渉しない長さとなっている。換言すれば、未使用のラップロール３１ｒが底板１３及び副板２０に接している状態で、ラップ入りカートン１の側面断面で見て、前板頂辺１２ｔとラップロール３１ｒの中心を結ぶ仮想線Ｌｖ上における、前板頂辺１２ｔとラップロール３１ｒ表面との距離未満の長さに奥行き２１ｄが形成されているとよい。また、フラップ２１は、本実施の形態では、幅２１ｗが本体部１１の長手方向の長さの１／２未満で、２つ形成されている。フラップ２１を分割することにより、１つのフラップ２１当たりの捩れ耐性の低下を抑制することができ、強度の低下を抑制することができる。また、フラップ２１を分割し過ぎずに２分割とすることにより、強度の低下を抑制しつつ、フラップ２１を起こす際の作業の手間の増加を抑制することができる。また、フラップ２１には、前板頂辺１２ｔに対向する辺の長手方向中央部に、嵌合溝２１ｇが形成されている。
【００２３】
前板１２には、長手方向の位置が嵌合溝２１ｇと対応する位置に、押片用切り込み１２ｃが形成されている。押片用切り込み１２ｃは、押片１２ｐを前板１２から分離する切れ目であり、押片１２ｐの輪郭の一部を形成している。押片１２ｐは、フラップ２１を起こす（前板１２から離れる方向に動かす）と共に、起こされたフラップ２１を所定の状態で維持する部分である。所定の状態は、ラップカートン１０の側面断面（図２（ｂ））で見て、前板１２とフラップ２１とのなす角であるフラップ角θが所定の角度となる状態である。所定の角度は、フラップ２１がその機能を発揮する角度であり、３０〜４０°が好ましく、フラップ２１が仮想線Ｌｖよりも開口１１ｈ側に位置する角度であってもよい。
【００２４】
押片１２ｐは、典型的には、一般的な成人の手の親指の爪程度の大きさに形成されているが、ラップカートン１０の大きさや材質等に応じて適宜変更することができる。押片１２ｐは、フラップ２１の保持を安定させる観点からは大きい方が好ましく、前板１２の強度の低下を抑制する観点からは小さい方が好ましい。前板１２の一部が抜かれて形成される押片１２ｐは、底板１３側の辺である接続辺１２ｊで前板１２と接続されている。押片１２ｐは、接続辺１２ｊで折れ曲がり、前板１２と同一面となる位置から本体部１１の内側へ倒れることができるように形成されている。押片１２ｐの輪郭のうち接続辺１２ｊ以外の部分が押片用切り込み１２ｃとなる。押片用切り込み１２ｃは、押片１２ｐが本体部１１の内側に押し込まれる前に、前板１２と押片１２ｐとが断続的に接続されたミシン目に形成されていてもよく、押片１２ｐが前板１２に嵌合されているだけの状態の完全な切れ目に形成されていてもよい。
【００２５】
押片１２ｐには、開口１１ｈ側の辺（すなわち接続辺１２ｊに対向する辺）に、フラップ２１の嵌合溝２１ｇと嵌合する嵌合突起１２ｆが形成されている。嵌合突起１２ｆは、フラップ２１に嵌合した押片１２ｐがフラップ２１から外れてしまうことを抑制する観点から、典型的には嵌合溝２１ｇの幅よりもやや大きな幅に形成されている。フラップ２１の嵌合溝２１ｇと押片１２ｐの嵌合突起１２ｆとの嵌合は、フラップ２１と押片１２ｐとの噛み合いの一形態である。押片１２ｐは、本体部１１の内側に押し込まれてフラップ２１と噛み合ったときに、フラップ角θが所定の角度となるように、前板１２の適切な位置に形成されている。本実施の形態では、図２（ａ）に示すように、蓋部１６を閉めたときに先端辺１８ｐよりも前板頂辺１２ｔ側に押片１２ｐがくるように形成されている。
【００２６】
図３（ａ）に示すように、押片１２ｐを林檎の模様の押片１２ｐＡとすると、機能面から設けた押片１２ｐがデザイン面においてもデメリットになりにくく、むしろ消費者の購買意欲を惹起することにもつながり得るので好適である。また、林檎の模様の押片１２ｐＡとすると、嵌合突起１２ｆを林檎のへたに見立てることでその存在に違和感がなくなるため好ましい。また、図３（ｂ）に示すように、押片１２ｐを苺の模様の押片１２ｐＢとしてもよい。この場合も、嵌合突起１２ｆを苺のへたに見立てることができる。あるいは図３（ｃ）に示すように、押片１２ｐを魚の模様の押片１２ｐＣとしてもよい。この場合、嵌合突起１２ｆを背びれに見立てることができる。また、ここに例示した以外に、押片１２ｐを、林檎及び苺以外のメロン等の果物や、果物以外の食品の模様としてもよく、さらには、食品以外の食器等の模様としてもよい。このように押片１２ｐに模様を付することで、機能を維持しながらデザイン面のバリエーションを持たせることができる。
【００２７】
再び図１及び図２に戻ってラップカートン１０の説明を続ける。図２（ｃ）に示すように、副板２０には、嵌合溝２１ｇに対向する位置のフラップ２１との境界２０ｂから、前板頂辺１２ｔに対して直角の方向で底板１３に向かって延びる副板開襟切り込み２２ｃが形成されている。副板開襟切り込み２２ｃは、典型的には、前板１２に形成された接続辺１２ｊに対応する位置よりも底板１３側に延び、前板１２の高さ（底板１３から開口１１ｈまでの垂直距離）の１／２〜２／３程度の長さに形成されている。
【００２８】
また、副板２０には、副板開襟切り込み２２ｃの底板１３側の端部と、副板開襟切り込み２２ｃから離れた境界２０ｂとを結ぶ折り目２２ｆが形成されている。折り目２２ｆは、直線状で、副板開襟切り込み２２ｃの両側に形成されている。したがって、折り目２２ｆは２本形成されている。副板開襟切り込み２２ｃと折り目２２ｆとのなす角は、概ね３０〜６０°が好ましく、本実施の形態では４５°としている。副板２０は、副板開襟切り込み２２ｃの両側に、境界２０ｂと副板開襟切り込み２２ｃと折り目２２ｆとに囲まれた三角形状の開襟部２２が形成されている。本実施の形態の折り目２２ｆは、開襟部２２が本体部１１の内側に押されたときに曲がるべき場所及び範囲をあらかじめ決めておくためのもので、開襟部２２に掛かる外力が除かれたときに開襟部２２が前板１２の近傍あるいは前板１２に接触するまで戻る程度に形成されている。開襟部２２が形成されることにより、押片１２ｐが形成された前板１２を補強することができる。
【００２９】
次に図１及び図２を参照して、ラップ入りカートン１の作用を説明する。ラップカートン１０の作用は、ラップ入りカートン１の作用の一環として説明する。未開封のラップ入りカートン１は、掩蓋片１８の先端に、先端辺１８ｐ上のミシン目（不図示）を介して切取片（不図示）が接続されており、切取片（不図示）は前板１２に複数の点で接着されている。ラップフィルム３１ｆを初めて使用する際は、切取片（不図示）を、前板１２から剥がしつつミシン目（不図示）で切断して掩蓋片１８から分離する。このようにラップカートン１０を開封することで、蓋部１６が本体部１１に対して回動可能な状態となる。
【００３０】
ラップカートン１０を開封して蓋部１６を開けると、正面となる前板１２に、押片１２ｐが現れる。このときの押片１２ｐは、未だ前板１２と面一になっている。他方、本体部１１の中に目を向けると、前板頂辺１２ｔから本体部１１の内部にフラップ２１が延びている。このときのフラップ２１は、フラップ２１を効果的に機能させるにはフラップ角θが不足（例えば１０°以下）している場合がある。これは、典型的には、ラップカートン１０が、ラップ入りカートン１が製造される工場とは別の工場で製造されて、折り畳まれた状態で保管されていた際に折り癖がついてしまったためである。
【００３１】
そこで、本実施の形態のラップ入りカートン１では、以下のようにして、フラップ２１を効果的に機能させることとする。まず、前板１２に形成されている押片１２ｐを、指で本体部１１の内側に押し込む。すると、押片１２ｐは、押片用切り込み１２ｃに沿って前板１２から分離し、接続辺１２ｊから曲がって本体部１１の内側に倒れる。押片１２ｐが倒れる過程では、フラップ２１及び開襟部２２が押片１２ｐに押されて広がる。押片１２ｐが倒れ、押片１２ｐの嵌合突起１２ｆがフラップ２１の嵌合溝２１ｇに至ると、嵌合突起１２ｆが嵌合溝２１ｇに嵌り込む。これにより、フラップ２１は、フラップ角θが所定の角度で維持されることとなり、フラップ２１の機能を十分に発揮させることができる。なお、嵌合突起１２ｆが嵌合溝２１ｇに適切に嵌合しない場合は、嵌合突起１２ｆを嵌合溝２１ｇに合わせた位置でフラップ２１を押片１２ｐ側に押してやればよい。
【００３２】
フラップ２１と押片１２ｐとが嵌合している状態では、開襟部２２が前板１２側に戻ろうとする弾性力が作用している。この弾性力により、押片１２ｐをフラップ２１に押し付ける方向に力が作用することとなり、嵌合突起１２ｆと嵌合溝２１ｇとの嵌合が外れにくくなる。さらに、開襟部２２が、フラップ２１に嵌合した押片１２ｐを支えることとなり、開襟部２２に支持された押片１２ｐと、フラップ２１と、前板１２とで三角形状の断面が構成されることとなって、前板１２の強度を向上させることができる。
【００３３】
上述のように開封されたラップ入りカートン１は、本体部１１の中にラップロール３１ｒが入っている。ラップロール３１ｒには、ラップフィルム３１ｆの先端に引出シール（不図示）が貼り付けられており、引出シール（不図示）を摘んで引き出すことでラップフィルム３１ｆの先端がラップロール３１ｒから剥離し、容易にラップフィルム３１ｆを引き出すことができる。ラップフィルム３１ｆを使用する際は、ラップロール３１ｒからラップフィルム３１ｆを必要な長さ分引き出して切断刃１８ｃで切断するのであるが、フラップ２１が適切なフラップ角θで維持されているので、ラップフィルム３１ｆを引き出す際にラップロール３１ｒが本体部１１から飛び出ることが効果的に抑制される。また、フラップ２１が適切なフラップ角θで維持されていることで、ラップフィルム３１ｆが切断された後にラップロール３１ｒが巻き戻る方向に多少動いたとしても、ラップフィルム３１ｆの先端がフラップ２１上に乗った状態になるので、ラップフィルム３１ｆの先端がラップロール３１ｒに貼り付いてしまうことを抑制することができる。また、開襟部２２に支持された押片１２ｐと、フラップ２１と、前板１２とが協働して、前板１２の裏に立体形状が形成されるため、ラップフィルム３１ｆの切断時に前板１２が本体部１１の内側に押されることによって生じる歪みを低減することができる。
【００３４】
以上で説明したように、本実施の形態に係るラップ入りカートン１では、フラップ２１を、前板１２に対して適切なフラップ角θで開くことができると共に、適切なフラップ角θで開いた状態を維持することができるので、フラップ２１の機能を確実に発揮させることができる。さらに、フラップ２１は、副板２０が切り込まれることにより形成され、副板に開襟部２２が形成されているので、押片１２ｐが押されて開口した前板１２の強度の低下を抑制することができる。
【００３５】
以上の説明では、薄膜状の長尺物がラップフィルム３１ｆであるとしたが、アルミニウム箔やクッキングシート（水蒸気は透過させるが液体の水は通さない、シリコン等がコーティングされた紙製品）等であってもよい。
【００３６】
以上の説明では、フラップ２１が、副板２０が切り込まれることにより形成されることとしたが、本体部１１が副板２０を含まずに、前板頂辺１２ｔにフラップ２１のみが接続された構成であってもよい。このように構成されていると、ラップカートン１０の使用材料を削減することができる。他方、本体部１１が副板２０を含んだ構成とすると、本体部１１の強度が向上するため好ましい。
【００３７】
以上の説明では、フラップ２１に嵌合溝２１ｇが形成され、押片１２ｐに嵌合突起１２ｆが形成されているとしたが、嵌合溝が押片１２ｐに形成されて嵌合突起がフラップ２１に形成されていてもよい。また、嵌合溝及び嵌合突起が形成されることに代えて、フラップ２１に噛み合わせ用の切り込みを入れておき、この切り込みに押片１２ｐを挟ませることで、フラップ２１と押片１２ｐとを噛み合わせるように構成されていてもよい。噛み合わせ用の切り込みは、フラップ２１ではなく押片１２ｐに形成されていてもよく、フラップ２１及び押片１２ｐの両方に形成されていてもよい。
【符号の説明】
【００３８】
１      ラップ入りカートン
１０    ラップカートン
１０ｊ  蝶番辺
１１    本体部
１１ｈ  開口
１２    前板
１２ｃ  押片用切り込み
１２ｐ  押片
１２ｔ  前板頂辺
１４    後板
１６    蓋部
２０    副板
２１    フラップ
２２ｃ  副板開襟切り込み
３１ｆ  ラップフィルム
３１ｒ  ラップロール
【図１】
0005603760.tif 000002
【図２】
0005603760.tif 000003
【図３】
0005603760.tif 000004